(57)【要約】【課題】  十分な保持固定作用が得られることはもとより、親指等の動きにはそれほど支障がなく、しかもフィット性に優れた関節サポーター用ステーの提供。【解決手段】  可撓性を有する馬蹄形状のステーを、その両外側縁下部で互に捻り合わせた関節サポーター用ステー；可撓性を有する馬蹄形状のステーを、当該ステーよりやや大き目に裁断した２枚のサポーター生地間に挾持せしめて縁取りをかけた後、両外側縁下部を互に捻り合わせ、その縁取り部を縫合する関節サポーター用ステーの製造方法。【選択図】  図４
2005074078.tif 000002
【特許請求の範囲】
【請求項１】
可撓性を有する馬蹄形状のステーを、その両外側縁下部で互に捻り合わせたことを特徴とする関節サポーター用ステー。
【請求項２】
可撓性を有する馬蹄形状のステーを、当該ステーよりやや大き目に裁断した２枚のサポーター生地間に挾持せしめて縁取りをかけた後、両外側縁下部を互に捻り合わせ、その縁取り部を縫合することを特徴とする関節サポーター用ステーの製造方法。
【発明の詳細な説明】
【技術分野】
【０００１】
本発明は、関節サポーター用ステー及びその製造方法に関する。
【背景技術】
【０００２】
関節部位における各種疾患、例えば変形性関節症、慢性関節リウマチ、腱鞘炎等の場合、その痛みを和らげたり、発生を防止するために、一般に関節サポーターが汎用されている。
【０００３】
而して、斯かる関節サポーターの例として手の親指用サポーターを挙げれば、従来は、図７に示す如く、親指挿通固定用の筒状部ａと、その下方の長母指外転筋腱部及び短母指伸展筋腱部用の被覆部ｂとをサポーター生地で一体連成すると共に、装着ベルトｃを取り付けたものが既に市販されている。しかしながら、サポーター生地として強い伸縮力を有するものを用いても当該生地のみでは十分な保持固定作用は得られないのが実状であった。
【０００４】
そこで、前記の如きサポーターに更に板状ステーを取り付けたものも市販されているが、板状ステーが柔軟性を有する場合には、未だ満足のいく保持固定作用は得られず、他方板状ステーが硬質性の場合には、親指の動きに強い制約を受ける、と云う問題があった。
【０００５】
また、前記の筒状部ａと被覆部ｂとをサポーター生地ではなく合成樹脂で一体成形したものも既に市販されているが、一体成形体の故に大きさが固定的でフィット性に欠ける、と云う問題があった。
【発明の開示】
【発明が解決しようとする課題】
【０００６】
本発明は上記の如き従来の実状と問題に鑑みてなされたものであり、十分な保持固定作用が得られることはもとより、親指等の動きにはそれほど支障がなく、しかもフィット性に優れた関節サポーターを得ることができる関節サポーター用ステーを提供することを目的とする。
【課題を解決するための手段】
【０００７】
本発明に係る関節サポーター用ステーは、可撓性を有する馬蹄形状のステーを、その両外側縁下部で互に捻り合わせたことを特徴とする。
【０００８】
また、本発明に係る関節サポーター用ステーの製造方法は、可撓性を有する馬蹄形状のステーを、当該ステーよりやや大き目に裁断した２枚のサポーター生地間に挾持せしめて縁取りをかけた後、両外側縁下部を互に捻り合わせ、その縁取り部を縫合することを特徴とする。
【発明の効果】
【０００９】
本発明の関節サポーター用ステーを用いて関節サポーターを製造すれば、可撓性を有する馬蹄形状のステーが、その両外側縁下部で互に捻り合わせられている結果、親指等の挿通固定に適した形態に立体化されているので、当該サポーターは、頗るフィット性に優れると共に、ステーの捻り作用と可撓性により十分な保持固定作用が得られる一方、親指等の動きにはそれほど支障は生じない。
【発明を実施するための最良の形態】
【００１０】
図１〜３は、手の親指用サポーターのステーとして好適な本発明ステーの一例を示すもので、以下該図に基いて説明する。
【００１１】
１０は、馬蹄形状の平板ステーで、可撓性を有するものであれば、その材質の如何を問わないが、例えばポリエチレン等の合成樹脂が好適に用いられる。また、その厚さも適宜選定されるが通常１〜２mmで十分である。斯かる馬蹄形状の平板ステー１０の具体的成形法もその如何を問わないが、合成樹脂板からの打ち抜き加工が簡便である。
【００１２】
１１ａ，１１ｂは、平板ステー１０ａの両外側縁下部で、該部を互に捻り合わせることによって、後述の立体ステー２０を形成するものであるため、両部１１ａ，１１ｂとも同寸法の直線状とするのが捻り合わせ易さの点で望ましい。
【００１３】
２０は、立体ステーで、平板ステー１０をその両外側縁下部１１ａ，１１ｂで互に捻り合わせることによって、親指挿通固定用の筒状部２０ａと長母指外転筋腱部及び短母指伸展筋腱部用の被覆部２０ｂとから構成されている。
【００１４】
両外側縁下部１１ａ，１１ｂの捻り合わせ部１１は、接着剤や接着テープにより直接接合したものであっても良いが、後述の実施例の如く、サポーター生地間に挾持せしめ、その縁取り部で縫合する間接接合としたものが、より優れたフィット性が得られると共に、親指の動きをよりスムースにする上で有利である。尚、サポーター生地としては、伸縮性生地、非伸縮性生地の如何を問わない。
【００１５】
而して、本発明に係る関節サポーター用ステーは、上記の如き立体ステー２０を最も主要な特徴としており、手の親指用サポーターはもとより、他の関節部位に装着するサポーターにも広く適用することができる。
【実施例】
【００１６】
実施例
図４を用いて手の親指用サポーターに用いる本発明ステーの製造方法を説明する。
まず、可撓性を有する馬蹄形状の平板ステー１０と、当該平板ステー１０とほぼ同形で、それよりやや大きめの寸法で裁断した２枚のサポーター生地３０を用意した（図４（１）参照）。尚、３１は止着用突出片で、裁断時にサポーター生地３０の上部側方に一体成形した。
【００１７】
次いで、図４（１）に示す如く、当該平板ステー１０を、第１のサポーター生地３０ａに載置した後、図４（２）に示す如く、第２のサポーター生地３０ｂを更に重ね、平板ステー１０を２枚のサポーター生地３０ａ，３０ｂ間にサンドイッチ状に挾持せしめた。
次いで、図４（３）に示す如く、当該挾持状態において２枚のサポーター生地３０ａ，３０ｂに縁取りをかけ、縁取り部３２を形成した。
【００１８】
次いで、両外側縁下部を互に捻り合わせ、その縁取り部３２ａ，３２ｂを縫い合わせて縫合部３３とし、図４（４）に示す如く、親指挿通固定用の筒状部４０ａと長母指外転筋腱部及び短母指伸展筋腱部用の被覆部４０ｂが一体形成された本発明の縫合立体ステー４０を製造した。因に、この縫合立体ステー４０の内部には、図２に示す如き立体ステー２０が存在している。尚、止着用突出片３１と筒状部４０ａには面ファスナー（図示省略）が取り付けられ、止脱自在となっている。
【００１９】
応用例
図５は本発明ステーを備えた親指用サポーターの例を示すもので、実施例で製造した縫合立体ステー４０の被覆部４０ｂに、手首への巻回固定用の装着ベルト４０ｃを取り付けて構成されている。尚、４１は止脱用の面ファスナーで、４２はベルト通しである。而して、斯かる手の親指用サポーターは、図６に示す如く手の親指関節部に装着使用される。
【図面の簡単な説明】
【００２０】
【図１】本発明における平板ステーの正面説明図。
【図２】本発明に係る立体ステーの正面説明図。
【図３】第２図Ａ−Ａ線断面説明図。
【図４】本発明ステーの製造例を示す工程説明図。
【図５】本発明ステーを備えた親指用サポーターの例を示す正面説明図。
【図６】本発明ステーを備えた親指用サポーターの装着状態を示す斜視説明図。
【図７】従来親指用サポーターの装着状態を示す斜視説明図。
【符号の説明】
【００２１】
１０：平板ステー
１１：捻り合わせ部
１１ａ，１１ｂ：外側縁下部
２０：立体ステー
２０ａ：筒状部
２０ｂ：被覆部
３０，３０ａ，３０ｂ：サポーター生地
３１：止着用突出片
３２：縁取り部
３２ａ，３２ｂ：外側縁下部縁取り部
３３：縫合部
４０：縫合立体ステー
４０ａ：筒状部
４０ｂ：被覆部
４０ｃ：装着ベルト
４１：面ファスナー
４２：ベルト通し
ａ：筒状部
ｂ：被覆部
ｃ：装着ベルト
【図１】
2005074078.tif 000003
【図２】
2005074078.tif 000004
【図３】
2005074078.tif 000005
【図４】
2005074078.tif 000006
【図５】
2005074078.tif 000007
【図６】
2005074078.tif 000008
【図７】
2005074078.tif 000009